(57)【要約】【課題】海外ローミング端末の利用者に対する発信のうち、特に、海外等、国内サービス圏外への着信となる場合に、発信者に海外ローミング端末への接続が国際電話となることを通知する。【解決手段】国内の通信業者の通信システムは、海外ローミング端末を利用する利用者の海外ローミング端末利用者情報を管理するとともに、前記海外ローミング端末の利用者が海外ローミングサービスを利用可能な地域に滞在していることを前記海外ローミング端末利用者情報に登録する手段と、発信者が前記海外ローミング端末の利用者に発信した場合に、前記海外ローミング端末利用者情報を参照し、前記海外ローミング端末の利用者が国内サービス領域外にいる場合に、国際電話となることを前記発信者に通知し、国際電話として接続するか否かを確認させる手段とを有する。【選択図】図２
2008147724.tif 000002
【特許請求の範囲】
【請求項１】
着信者が国内サービス領域外にいる場合に国内から着信可能な海外ローミング端末を持ち、海外のローミングサービスを提供できる海外ローミング端末国際通信通話通知システムにおいて、
国内の通信業者の通信システムは、海外ローミング端末を利用する利用者の海外ローミング端末利用者情報を管理し、
前記国内の通信業者の通信システムは、前記海外ローミング端末の利用者が海外ローミングサービスを利用可能な地域に滞在していることを前記海外ローミング端末利用者情報に登録する手段と、
発信者が前記海外ローミング端末の利用者に発信した場合に、前記海外ローミング端末利用者情報を参照し、前記海外ローミング端末の利用者が国内サービス領域外にいる場合に、国際電話となることを前記発信者に通知し、国際電話として接続するか否かを確認させる手段とを有することを特徴とする海外ローミング端末国際通信通話通知システム。
【発明の詳細な説明】
【技術分野】
【０００１】
本発明は、海外ローミング端末国際通信通話通知システムに係り、特に、海外ローミング端末の利用者が海外にいる場合に、発信者に対して発信した通信が海外ローミング接続になることを通知する海外ローミング端末国際通信通話通知システムに関する。
【背景技術】
【０００２】
従来、着信者が海外ローミング端末の利用者の場合、国内にいる場合は通常通り接続されるが、海外等、国内サービス圏外にいる場合は、国際電話として接続される。
【発明の開示】
【発明が解決しようとする課題】
【０００３】
前述したように、着信者が海外ローミング端末の利用者の場合、国内にいる場合は通常通り接続されるが、海外等、国内サービス圏外にいる場合は、国際電話として接続される。
しかしながら、発信者には国際電話になることがわからず接続され、国際電話料金が双方に課金され、また、着信者側の時差を無視した接続になるという問題があった。
本発明は、前記従来技術の問題点を解決するためになされたものであり、本発明の目的は、海外ローミング端末の利用者に対する発信のうち、特に、海外等、国内サービス圏外への着信となる場合に、発信者に海外ローミング端末への接続が国際電話となることを通知する海外ローミング端末国際通信通話通知システムを提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、着信者が国内サービス領域外にいる場合に国内から着信可能な海外ローミング端末を持ち、海外のローミングサービスを提供できる海外ローミング端末国際通信通話通知システムにおいて、国内の通信業者の通信システムは、前記海外ローミング端末を利用する利用者の海外ローミング端末利用者情報を管理するとともに、前記海外ローミング端末の利用者が海外ローミングサービスを利用可能な地域に滞在していることを前記海外ローミング端末利用者情報に登録する手段と、発信者が前記海外ローミング端末の利用者に発信した場合に、前記海外ローミング端末利用者情報を参照し、前記海外ローミング端末の利用者が国内サービス領域外にいる場合に、国際電話となることを前記発信者に通知し、国際電話として接続するか否かを確認させる手段とを有する。
【発明の効果】
【０００５】
本願において開示される発明のうち代表的なものによって得られる効果を簡単に説明すれば、下記の通りである。
本発明によれば、発信者が、着信者が海外に滞在していることを把握することができるので、国際通信通話として接続するか、及び着信側の時差を考慮した通信通話とするかを発信者が判断でき、通信費用の抑制を図ることが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明で利用する海外ローミング端末の概略構成を示す機能ブロック図である。図１において、１００は海外ローミング端末、１０１は表示画面部、１０２はキー等の操作部、１０３は通話部、１０４は通信制御部、１０５はアプリケーションプログラム部、１０６は海外滞在フラグを示す。
図２は、発信者と、海外ローミング端末の利用者とが通信する通信システムの概略構成を示すブロック図である。
図２において、２０１は発信側となる携帯及び固定端末、２０２は発信者の携帯及び固定端末と国内通信業者の交換システムを接続する通信経路、２０３は発信者の契約先国内通信業者、２０４は海外ローミング端末利用者の契約先国内通信業者、２０５は海外ローミング先通信業者、２０６は海外ローミング先の通信業者システムと海外ローミング端末を結ぶ通信経路、２０７は着信先となる海外ローミング端末、２０８は発信者側の国内通信業者の通信システム、２０９は海外発信国内通信業者の通信システム、２１０は海外ローミング先通信業者の通信システムを示す。
【０００７】
図２において、発信者が着信者と同じ電話会社の場合（例えば、ＫＤＤＩ同士の場合）、海外ローミング端末利用者の契約先国内通信業者２０４は、発信者の契約先国内通信業者２０３と同じ電話会社となるので、発信者の携帯端末２０１からの発信は、直接同じ電話会社である海外ローミング端末利用者の契約先国内通信業者２０４の通信システム２０９に入り、通信システム２０９の海外ローミングサービスシステムを経由して、海外ローミング先通信業者２０５の通信システム２１０に接続される。
また、発信者が着信者とが異なる電話会社の場合（例えば、発信者がＫＤＤＩ、受信者がＮＴＴドコモの場合)、海外ローミング端末利用者の契約先国内通信業者２０４は、発信者の契約先国内通信業者２０３とは異なる電話会社となるので、発信者の携帯端末２０１からの発信は、一旦、発信者の契約先国内通信業者２０３の通信システム２０８に入り、そこから海外ローミング端末利用者の契約先国内通信業者２０４の通信システム２０９に入り、通信システム２０９の海外ローミングサービスシステムを経由して、海外ローミング先通信業者２０５の通信システム２１０に接続される。
【０００８】
図３は、図２に示す海外ローミング端末利用者の契約先国内通信業者の通信システム２０９で管理する、海外ローミング端末を利用する利用者の自社顧客情報のデータベースのレコード例を示す図である。
図３において、３０１は通常通信に必要な顧客情報（電話番号など）を記録したフィールドを示し、３０２は海外ローミング端末の利用者が国内或いは海外に滞在しているかを記録するフィールド（即ち、海外滞在フラグ）を示す。
図４は、海外ローミング端末の利用者が国内サービス圏外にいる場合に、発信者に通知する音声或いは画面メッセージの一例を示す図である。
図５は、海外ローミング端末の利用者が海外滞在を登録する際、対象サービス圏外にいる場合に、表示されるエラーメッセージの一例を示す図である。
図６は、海外ローミング端末の利用者が国内サービス圏外にいる旨を国内の顧客情報のデータベースに登録するための海外ローミング端末画面の一例を示す図である。
【０００９】
以下、本実施例の海外ローミング端末国際通信通知システムについて説明する。
図７（ａ）、図７（ｂ）は、本実施例の海外ローミング通知システムにおける、着信側登録処理を示すフローチャートである。
先ず、海外ローミング端末の利用者が、海外ローミング端末利用者の契約先国内通信業者の国内サービス領域以外に滞在している旨を、海外ローミング端末利用者の契約先国内通信業者内に通知するかを決定する（ステップ７０１０）。
ステップ７０１０において通知する場合は、海外ローミング端末１００（または２０７）を操作して海外滞在登録するプログラムを起動し（ステップ７０２０）、利用地域を確認するための通信を開始する（ステップ７０３０）。
海外ローミング先通信業者２０５の通信システム２１０及び海外ローミング端末利用者の契約先国内通信業者２０４の通信システム２０９は、海外ローミング端末１００からの通信が自社サービス領域内かどうかを判定し（ステップ７０５０、ステップ７０６０）、利用地域が国内と判定された場合は国内での利用であることを（ステップ７０６５）、利用地域が海外と判定された場合は海外での利用であること（ステップ７０７０）を海外ローミング端末１００に回答する。
海外ローミング端末１００では、通知された利用地域情報をもとに利用地域が国内か海外かを判断し（ステップ７０８０）、利用地域を特定できなかった場合と国内での利用であった場合、図５に示す登録不可のエラーメッセージを海外ローミング端末１００に表示する（ステップ７１３０）。
【００１０】
ステップ７０５０において、自サービス領域内の場合は海外に滞在している旨を海外ローミング端末１００に返答する（ステップ７０７０）。
海外ローミング端末１００は、自端末が海外ローミング領域内にあることを判定し（ステップ７０８０）、自端末内の海外滞在フラグ１０６をオンにセットする（ステップ７０９０）。
自端末の海外滞在フラグ１０６をオンにした（ステップ７０９０）後、海外ローミング端末１００は、海外ローミング端末利用者の契約先国内通信業者２０４の通信システム２０９で管理している顧客情報の中の、自端末の利用者の顧客情報内の海外滞在フラグ３０２をオンにセットする依頼を、海外ローミング先通信業者２０５の通信システム２１０に送信する（ステップ７１００）。
海外ローミング先通信業者２０５の通信システム２１０は、この内容を海外ローミング端末利用者の契約先国内通信業者２０４の通信システム２０９に中継する（ステップ７１１０）。
海外ローミング端末利用者の契約先国内通信業者２０４の通信システム２０９は、管理している顧客情報の中で、通知された海外ローミング端末の利用者の顧客情報の海外滞在フラグ３０２をオンにセットする（ステップ７１２０）。
【００１１】
次に、国内に滞在する第３者が、海外ローミング端末の利用者に発信した場合（ステップ７１４０）、海外ローミング端末利用者の契約先国内通信業者２０４の通信システム２０９が、海外ローミング端末の利用者の顧客情報内の海外滞在フラグ３０２の状態を確認する（ステップ７１５０）。
海外滞在フラグ３０２の状態を確認した結果（ステップ７１６０）、海外滞在フラグ３０２がオフの場合は、着信者が国内にいるものとして通常国内通信を行い（ステップ７１７０）、また、海外滞在フラグ３０２がオンの場合、着信者が海外滞在していることを、発信者の携帯及び固定端末２０２に表示または音声通知し（ステップ７１８０）、発信者の携帯及び固定端末２０２は、図４に示す通知または音声情報を出力する（ステップ７１９０）。
発信者は、着信者が海外滞在している情報を了解の上、通信通話を継続するかを判断し（ステップ７２００）、ステップ７２００において継続しない場合は通信を切断し（ステップ７２１０）、ステップ７２００において継続する場合は、海外ローミング端末利用者の契約先国内通信業者２０４の通信システム２０９に海外ローミングとしての接続を要求し（ステップ７２２０）、海外ローミング先通信業者２０５の通信システム２１０に接続し（ステップ７２３０）、海外ローミング端末１００に接続する（ステップ７２４０）。
【００１２】
図８は、本実施例の海外ローミング通知システムにおける、海外ローミング端末発信処理を示すフローチャートである。
海外ローミング端末の利用者が、海外ローミング端末１００を使用して海外で発信した場合（ステップ８０１０のＹｅｓ）、海外ローミング先通信業者２０５の通信システム２１０は、通常海外発信処理を行う（ステップ８０３０）。
一方、海外ローミング端末利用者が、海外ローミング端末１００を使用して国内で発信した場合（ステップ８０１０のＮｏ）、自端末内の海外滞在フラグ１０６の状態を判定し（ステップ８０２０）、海外滞在フラグ１０６がオフの場合は、通常国内通信通話として発信する（ステップ８０８０）。
国内での発信の場合で、自端末内の海外滞在フラグ１０６がオンになったままの場合、自端末が国内にあることを、海外ローミング端末利用者の契約先国内通信業者２０４の通信システム２０９に確認し（ステップ８０４０）、海外ローミング端末利用者の契約先国内通信業者２０４の通信システム２０９は、管理している顧客情報の中で、通知された海外ローミング端末の利用者の顧客情報内の海外滞在フラグ３０２がオンのままであることを確認し（ステップ８０５０）、当該顧客情報内の海外滞在フラグ３０２をオフにセットする（ステップ８０６０）。
また、海外ローミング端末１００は自端末内の海外滞在フラグ１０６をオフにセットし（ステップ８０７０）、国内通常発信を行う（ステップ８０８０）。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１３】
【図１】本発明で利用する海外ローミング端末の概略構成を示す機能ブロック図である。
【図２】発信者と海外ローミング端末の利用者とが通信する通信システムの概略構成を示すブロック図である。
【図３】図２に示す海外ローミング端末利用者の契約先国内通信業者の通信システムで管理する、海外ローミング端末を利用する自社顧客情報のデータベースのレコード例を示す図である。
【図４】海外ローミング端末の利用者が国内サービス圏外にいる場合に、発信者に通知する音声或いは画面メッセージの一例を示す図である。
【図５】海外ローミング端末の利用者が海外滞在を登録する際、対象サービス圏外にいる場合に表示されるエラーメッセージの一例を示す図である。
【図６】海外ローミング端末の利用者が国内サービス圏外にいる旨を国内の顧客情報のデータベースに登録するための海外ローミング端末画面の一例を示す図である。
【図７（ａ）】本発明の実施例の海外ローミング通知システムにおける、着信側登録処理を示すフローチャートである。
【図７（ｂ）】本発明の実施例の海外ローミング通知システムにおける、着信側登録処理を示すフローチャートである。
【図８】本発明の実施例の海外ローミング通知システムにおける、海外ローミング端末発信処理を示すフローチャートである。
【符号の説明】
【００１４】
１００，２０７  海外ローミング端末
１０１  表示画面部
１０２  キー等の操作部
１０３  通話部
１０４  通信制御部
１０５  アプリケーションプログラム部
１０６  海外滞在フラグ
２０１  発信側となる携帯及び固定端末
２０２，２０６  通信経路
２０３  発信者の契約先国内通信業者
２０４  海外ローミング端末利用者の契約先国内通信業者
２０５  海外ローミング先通信業者
２０８，２０９，２１０  通信システム
【図１】
2008147724.tif 000003
【図２】
2008147724.tif 000004
【図３】
2008147724.tif 000005
【図４】
2008147724.tif 000006
【図５】
2008147724.tif 000007
【図６】
2008147724.tif 000008
【図７（ａ）】
2008147724.tif 000009
【図７（ｂ）】
2008147724.tif 000010
【図８】
2008147724.tif 000011